(57)【要約】【課題】  簡単な構造で強固に接続端子を係止をする。【解決手段】  接続端子１０は、接続部１１、連結部１２及び導体接続部１３を備え、連結部の側縁部からその厚さ方向に延びる係止片部１５を備えて構成される。接続端子１０が取り付けられるコネクタなどの端子取付部材には、係止片部１５が挿入嵌合される係止穴部が形成される。係止穴部に係止片部１５を完全挿入すれば接続端子１０は端子取付部材に係止される。係止片部１５と係止穴部との係合により接続端子１０を係止するため、従来のランス部などの複雑な係止構造が不要となる。【選択図】  図１
2005259561.tif 000002
【特許請求の範囲】
【請求項１】
先端側に形成されて相手方接続端子と接続可能な接続部と、基端側に形成されて導体と接続される導体接続部と、これら接続部及び導体接続部間を連結する板状の連結部とを備えると共に、前記連結部の側縁部から前記連結部の厚さ方向に延びる係止片部を備えてなり、
樹脂成形部材からなる端子取付部材に形成された係止穴部に前記係止片部を挿入嵌合することで前記端子取付部材に係止される
ことを特徴とする接続端子。
【請求項２】
前記接続端子は、前記連結部に前記厚さ方向に貫通した状態の端子穴部を備えてなる
ことを特徴とする請求項１記載の接続端子。
【請求項３】
先端側に形成されて相手方接続端子と接続可能な接続部と、基端側に形成されて導体と接続される導体接続部と、これら接続部及び導体接続部間を連結する板状の連結部とを備えた接続端子の樹脂成形部材からなる端子取付部材への係止構造であって、
前記接続端子は、前記連結部の側縁部から前記連結部の厚さ方向に延びる係止片部を備え、
前記端子取付部材は、前記係止片部が挿入嵌合される係止穴部を備え、
前記接続端子は、前記係止穴部に前記係止片部を完全挿入した状態で前記端子取付部材に係止されている
ことを特徴とする接続端子の係止構造。
【請求項４】
前記端子取付部材は、着脱自在な複数の端子保持ハウジング構成部材からなると共に、これら複数の端子保持ハウジング構成部材を互いに係合した際に先端側に形成される複数の前記接続端子を前記接続部を外部に露出させた状態でそれぞれ収容する複数の端子収容室を備えて構成された端子保持ハウジングであり、
前記係止穴部は、前記端子保持ハウジングの前記複数の端子収容室にそれぞれ形成されてなり、
前記端子保持ハウジングは、基端側に形成されて前記端子保持ハウジングが挿入され収容される端子保持ハウジング収容室と、この端子保持ハウジング収容室の先端側に形成されて収容された前記端子保持ハウジングの前記複数の端子収容室からそれぞれ露出した複数の前記接続端子の前記接続部が配置されると共に相手方コネクタハウジングと嵌合する嵌合部とを備えて構成されたアウターハウジングに収容され、
複数の前記接続端子は、それぞれ前記係止穴部に前記係止片部を完全挿入した状態で前記複数の端子収容室内で係止されている
ことを特徴とする請求項３記載の接続端子の係止構造。
【請求項５】
前記端子取付部材は、着脱自在な複数のコネクタハウジング構成部材からなると共に、これら複数のコネクタハウジング構成部材を互いに係合した際に先端側に形成される相手方コネクタハウジングと嵌合する嵌合部と、この嵌合部の基端側に形成される複数の前記接続端子をそれぞれ収容する複数の端子収容室とを備えて構成されたコネクタハウジングであり、
前記係止穴部は、前記コネクタハウジングの前記複数の端子収容室にそれぞれ形成されてなり、
複数の前記接続端子は、それぞれ前記係止穴部に前記係止片部を完全挿入した状態で前記複数の端子収容室内で係止されている
ことを特徴とする請求項３記載の接続端子の係止構造。
【請求項６】
前記接続端子は、前記連結部の両側縁部からそれぞれ相反する前記厚さ方向に延びる複数の前記係止片部を備えてなり、
前記複数のハウジング構成部材の前記端子収容室形成部分の対向端面には、それぞれ前記係止穴部が形成されている
ことを特徴とする請求項４又は５記載の接続端子の係止構造。
【請求項７】
前記接続端子は、前記連結部に前記厚さ方向に貫通した状態の端子穴部を備えてなり、
前記端子取付部材には、前記端子穴部に嵌合する係止突起部が形成されている
ことを特徴とする請求項３〜６のいずれか１項記載の接続端子の係止構造。
【発明の詳細な説明】
【技術分野】
【０００１】
本発明は、電気的接続を行う接続端子及び接続端子の端子取付部材への係止構造に関し、特に簡単な構造で強固に端子取付部材に係止することができる接続端子及び接続端子の係止構造に関する。
【背景技術】
【０００２】
従来より、例えば部材間を電気的に接続するためのプラグ型及びレセプタクル型コネクタには、それぞれ互いに接続可能な接続端子が内蔵されており、この接続端子は、電線などの導体に接続されたうえでコネクタの端子収容室内に形成されたランス部などにより係止されてコネクタに収容されている（例えば、特許文献１参照。）。
【０００３】
【特許文献１】特開２００３−３０３６３１号公報（第４−５頁、第８図）
【発明の開示】
【発明が解決しようとする課題】
【０００４】
しかしながら、特許文献１のように、接続端子をランス部でコネクタに係止するためには、コネクタの端子収容室内にランス部を形成し更に接続端子にランス部と係合する係合穴部などを形成する必要があるため、特にコネクタの製造作業が繁雑化し製造コストが増加する場合がある。
【０００５】
また、接続端子とコネクタとの係止がランス部により行われるため、接続端子を端子収容室に挿入した際に複雑な形状のランス部と接続端子との係合を確実に行う必要があり、コネクタへの接続端子の装着作業性があまり芳しくないという問題がある。
【０００６】
本発明は、このような問題点に鑑みてなされたもので、簡単な構造で強固に係止が可能な接続端子及び接続端子の係止構造を提供することを目的とする。
【課題を解決するための手段】
【０００７】
本発明に係る接続端子は、先端側に形成されて相手方接続端子と接続可能な接続部と、基端側に形成されて導体と接続される導体接続部と、これら接続部及び導体接続部間を連結する板状の連結部とを備えると共に、前記連結部の側縁部から前記連結部の厚さ方向に延びる係止片部を備えてなり、樹脂成形部材からなる端子取付部材に形成された係止穴部に前記係止片部を挿入嵌合することで前記端子取付部材に係止されることを特徴とする。
【０００８】
本発明に係る接続端子の係止構造は、先端側に形成されて相手方接続端子と接続可能な接続部と、基端側に形成されて導体と接続される導体接続部と、これら接続部及び導体接続部間を連結する板状の連結部とを備えた接続端子の樹脂成形部材からなる端子取付部材への係止構造であって、前記接続端子は、前記連結部の側縁部から前記連結部の厚さ方向に延びる係止片部を備え、前記端子取付部材は、前記係止片部が挿入嵌合される係止穴部を備え、前記接続端子は、前記係止穴部に前記係止片部を完全挿入した状態で前記端子取付部材に係止されていることを特徴とする。
【０００９】
なお、端子取付部材は、（１）例えば着脱自在な複数の端子保持ハウジング構成部材からなると共に、これら複数の端子保持ハウジング構成部材を互いに係合した際に先端側に形成される複数の接続端子を接続部を外部に露出させた状態でそれぞれ収容する複数の端子収容室を備えて構成された端子保持ハウジングであると良く、この場合、係止穴部は、端子保持ハウジングの複数の端子収容室にそれぞれ形成されてなり、端子保持ハウジングは、基端側に形成されて端子保持ハウジングが挿入され収容される端子保持ハウジング収容室と、この端子保持ハウジング収容室の先端側に形成されて収容された端子保持ハウジングの複数の端子収容室からそれぞれ露出した複数の接続端子の接続部が配置されると共に相手方コネクタハウジングと嵌合する嵌合部とを備えて構成されたアウターハウジングに収容され、複数の接続端子は、それぞれ係止穴部に係止片部を完全挿入した状態で複数の端子収容室内で係止されていると良い。
【００１０】
又は、端子取付部材は、（２）例えば着脱自在な複数のコネクタハウジング構成部材からなると共に、これら複数のコネクタハウジング構成部材を互いに係合した際に先端側に形成される相手方コネクタハウジングと嵌合する嵌合部と、この嵌合部の基端側に形成される複数の接続端子をそれぞれ収容する複数の端子収容室とを備えて構成されたコネクタハウジングであると良く、この場合、係止穴部は、コネクタハウジングの複数の端子収容室にそれぞれ形成されてなり、複数の接続端子は、それぞれ係止穴部に係止片部を完全挿入した状態で複数の端子収容室内で係止されていると良い。
【００１１】
なお、接続端子は、連結部の両側縁部からそれぞれ相反する連結部の厚さ方向に延びる複数の係止片部を備えても良く、この場合、端子保持ハウジング構成部材やコネクタハウジング構成部材のそれぞれの端子収容室形成部分の対向端面には、それぞれ係止穴部が形成されていると良い。
【００１２】
そして、接続端子は、連結部にその厚さ方向に貫通した状態の端子穴部を備えても良く、この場合、端子取付部材には、端子穴部に嵌合する係止突起部が形成されていると良い。
【発明の効果】
【００１３】
本発明によれば、接続端子の連結部にその厚さ方向に延びる係止片部が形成され、この係止片部を樹脂成形部材からなる端子取付部材に形成された係止穴部に挿入嵌合して接続端子を係止するため、複雑な係止構造が不要となると共にそれに伴う接続端子や端子取付部材の製造金型などの簡素化が可能となり製造コストを抑えることができる。また、係止片部を係止穴部に挿入嵌合するという簡単な作業で接続端子を端子取付部材に係止することができるため、接続端子の端子取付部材への装着作業性を向上させることができる。更に、接続端子をランス部などを介さずに係止片部を係止穴部に挿入嵌合するという簡単な構造で直接端子取付部材に装着することができると共に、相手方接続端子との接続方向と交差する方向に係止片部が係止穴部に完全挿入されるため、端子取付部材に対して強固に係止することが可能となる。
【発明を実施するための最良の形態】
【００１４】
以下、添付の図面を参照して、本発明の好ましい実施の形態を説明する。
図１は、本発明の一実施形態に係る接続端子を示す外観斜視図である。
【００１５】
接続端子１０は、例えば板状の金属母材を打ち抜き／折り曲げ加工等して形成され、先端側に形成された図示しない相手方接続端子と接続可能な接続部１１と、基端側に形成された後述するフラットハーネスなどの導体と接続される導体接続部１３と、これら接続部１１及び導体接続部１３を連結する板状の連結部１２とを備えると共に、連結部１２の側縁部から連結部１２の厚さ方向に延びる片状の係止片部１５を備えて構成されている。
【００１６】
このように構成された接続端子１０を、例えば樹脂成形部材からなる端子取付部材としての図示しないコネクタハウジングに固定する場合、コネクタハウジングの接続端子装着部分に接続端子１０の係止片部１５が挿入嵌合される係止穴部を形成しておけば、係止片部１５を係止穴部に挿入嵌合するだけで接続端子１０をコネクタハウジングに係止することができる。
【００１７】
従って、このような構造の接続端子１０を用いれば、通常接続端子を係止するためのランス部などの複雑な係止構造を接続端子やコネクタハウジングに備えることが不要で、これらの製造作業や製造金型などを簡素化し製造コストのコストダウンを図ることができる。
【００１８】
また、係止片部１５を係止穴部に相手方接続端子との接続方向と交差する方向に挿入嵌合するだけで接続端子１０をコネクタハウジングに係止することができるため、接続端子１０のコネクタハウジングへの装着作業性を向上させると共に、強固に係止することが可能となる。
【００１９】
図２は、本発明の一実施形態に係る接続端子の係止構造を説明するためのコネクタを示す一部分解外観斜視図、図３は、このコネクタのハーネス装着前の端子保持ハウジングを示す一部分解斜視図、図４は、このコネクタのハーネス装着後の端子保持ハウジングを示す一部分解斜視図、図５は、このコネクタに備えられるハーネスの端末部を示す外観斜視図、図６は、このコネクタの完成状態を示す外観斜視図、図７は、図６のＡ−Ａ´簡易断面図、図８は、図６のＢ−Ｂ´簡易断面図、図９は、図６のＣ−Ｃ´簡易断面図である。
【００２０】
図２に示すように、コネクタ１は、例えばハーネスとして矩形断面状の複数の導体２１が平面状に並設され各導体２１の周囲に絶縁被覆２２が備えられた構造のフラットハーネス２０，２０と、このフラットハーネス２０，２０の各導体２１とそれぞれ接続される複数の上述した接続端子１０と、これら複数の接続端子１０及びフラットハーネス２０，２０の端末部が収容されるコネクタハウジング２とを備えて構成されている。
【００２１】
なお、このコネクタ１では、コネクタハウジング２は樹脂成形部材からなり、複数の接続端子１０が装着される端子取付部材である端子保持ハウジング３０と、この端子保持ハウジング３０を内部に収容するアウターハウジング４０とから構成された構造からなる。
【００２２】
フラットハーネス２０，２０は、例えば図５に示すように、その端末部において厚さ方向の一方の面側の絶縁被覆２２が除去されて各導体２１がそれぞれ露出されると共に各導体２１間の絶縁被覆２２が更に除去されて複数のスリット部２３がそれぞれ形成された構造からなる。
【００２３】
また、フラットハーネス２０，２０の端末部には、ここでは各導体２１間の各スリット部２３の基端側における導体２１形成部分以外の部分の少なくとも２箇所に、後述する嵌合突起部が挿通可能となるような絶縁被覆２２を貫通する形状の複数の挿通穴部２４が形成されている。
【００２４】
このフラットハーネス２０，２０の各導体２１とそれぞれ接続される複数の接続端子１０は、既述のものと同様の接続部１１、連結部１２、導体接続部１３及び係止片部１５を有する構造であるため、ここでは説明を省略する。
【００２５】
ここで、各接続端子１０の導体接続部１３とフラットハーネス２０，２０の各導体２１とは、例えば抵抗溶接（シリーズ溶接）によりそれぞれ接続されている。この接続方式であるシリーズ溶接については公知技術であるため、ここでは説明を省略する。
【００２６】
このコネクタ１のコネクタハウジング２の一部を構成する端子保持ハウジング３０は、例えば着脱自在な複数の端子保持ハウジング構成部材からなり、ここでは複数の端子保持ハウジング構成部材は、図３及び図４に示すような端子保持ハウジング本体部３１と、この端子保持ハウジング本体部３１にそれぞれ係合自在に取り付けられる端子保持リテーナ部３２，３２とからなる。
【００２７】
なお、この例の端子保持ハウジング３０は、端子保持リテーナ部３２，３２が端子保持ハウジング本体部３１の側端部側に形成されたヒンジ部３５（図８等参照）を介して端子保持ハウジング本体部３１とそれぞれ連結された状態で一体成形された構造からなり、図３及び図４中上下方向から端子保持リテーナ部３２，３２がそれぞれ端子保持ハウジング本体部３１と着脱自在に係合するように形成されている。
【００２８】
この端子保持ハウジング３０は、これら端子保持リテーナ部３２，３２を端子保持ハウジング本体部３１に係合した際に、例えば図７に示すように、複数の接続端子１０をその接続部１１を外部に露出させた状態でそれぞれ内部に収容する複数の端子収容室３３，３３を備えるように構成されている。
【００２９】
そして、この端子保持ハウジング３０は、これら複数の端子収容室３３，３３の基端側に形成されてフラットハーネス２０，２０の端末部をその厚さ方向に挟む状態で支持する端末支持部３４，３４を更に備えるように構成されている。
【００３０】
なお、これら端子保持リテーナ３２，３２と端子保持ハウジング本体部３１との係合は、例えば図２〜図４に示すように、各端子保持リテーナ部３２，３２の側端部に形成された鉤爪状の突起を有する複数のハウジング係止片３６ａと、端子保持ハウジング本体部３１の側端部に形成されたこれら複数のハウジング係止片３６ａが引っ掛かりハウジング係止片３６ａと係合する複数のハウジング係止溝３６ｂとが互いに係合することにより行われる。
【００３１】
また、この端子保持ハウジング３０は、端末支持部３４，３４に、例えば各端子保持リテーナ部３２，３２と端子保持ハウジング本体部３１との完全係合時にフラットハーネス２０，２０をその厚さ方向に挟み固定する端末固定部３７，３７（図９参照）が形成されている。
【００３２】
この端末固定部３７，３７は、例えば端子保持ハウジング本体部３１の各端子保持リテーナ部３２，３２との端末支持部３４，３４における対向端面に形成された複数の端末固定嵌合突起部３７ａと、各端子保持リテーナ部３２，３２の端子保持ハウジング本体部３１との端末支持部３４，３４における各対向端面に形成されたこれら端末固定嵌合突起部３７ａがそれぞれ嵌合する複数の端末固定嵌合穴部３７ｂとから構成されている。
【００３３】
なお、端子保持ハウジング本体部３１に形成された各端末固定嵌合突起部３７ａは、端子保持ハウジング本体部３１と各端子保持リテーナ部３２，３２との完全係合時に、上述したようにフラットハーネス２０，２０の端末部の各挿通穴部２４を通って各端子保持リテーナ部３２，３２に形成された各端末固定嵌合穴部３７ｂに嵌合する。
【００３４】
この端子保持ハウジング３０の各端子収容室３３は、例えば端子保持ハウジング本体部３１の各端子保持リテーナ部３２，３２との対向端面に形成された、フラットハーネス２０，２０の端末部の各導体２１間のスリット部２３に嵌り各導体２１をそれぞれ隔てると共に各端子収容室３３の側壁を構成する突条からなる複数の隔壁部３８ａを備えている。
【００３５】
これら複数の隔壁部３８ａは、各端子保持リテーナ部３２，３２の端子保持ハウジング本体部３１との対向端面に形成された、これら複数の隔壁部３８ａの端部がそれぞれ嵌る複数の隔壁溝部３８ｂに、各端子保持リテーナ部３２，３２と端子保持ハウジング本体部３１との完全係合時に嵌り、これにより端子保持ハウジング３０に各端子収容室３３が形成される。
【００３６】
そして、各隔壁部３８ａには一部にその厚さ方向に凹んだ形状の切欠部３８ｃ（図３及び図４参照）が形成され、端子保持ハウジング本体部３１の切欠部３８ｃと続く部分には係止穴部３９（図８参照）が形成されている。
【００３７】
切欠部３８ｃは、図３に示す接続端子１０及びフラットハーネス２０を図中矢印方向に移動して端子保持ハウジング３０に収容する際に、例えば先ず図４に示すように端子保持ハウジング３０に装着する場合、各接続端子１０に備えられた係止片部１５の係止穴部３９への挿入を妨げないように設けられている。
【００３８】
そして、図８に示すように、これら切欠部３８ｃを通って係止穴部３９に係止片部１５が挿入嵌合された各接続端子１０は、各端子収容室３３において係止片部１５及び係止穴部３９の係合により確実且つ強固に係止され、この状態で端子保持ハウジング３０に係止される。
【００３９】
なお、このように係止された各接続端子１０は、各端子保持リテーナ部３２，３２及び端子保持ハウジング本体部３１を係合して端子保持ハウジング３０を構成した場合、各端子収容室３３の端子保持ハウジング本体部３１及び各端子保持リテーナ部３２，３２の対向端面で、端子収容室３３内において連結部１２の厚さ方向に更に押さえられて収容されているため、端子保持ハウジング３０に確実に係止されたうえで固定される。
【００４０】
このように、このコネクタ１では、連結部１２に係止片部１５が備えられた各接続端子１０を端子保持ハウジング３０の端子保持ハウジング本体部３１の係止穴部３９にそれぞれ挿入嵌合して接続端子１０を係止することができるため、ランス部などの複雑な係止構造が不要となりそれに伴う接続端子１０や端子保持ハウジング３０の製造金型などの簡素化が可能で製造コストの抑制を図ることが可能となる。
【００４１】
また、このコネクタ１では、各接続端子１０の係止片部１５を端子保持ハウジング１０の係止穴部３９に挿入嵌合するという簡単な作業で係止することができるため、各接続端子１０の装着作業性を向上させることができる。
【００４２】
更に、このコネクタ１では、各接続端子１０をランス部などを介さずに係止片部１５を係止穴部３９に挿入嵌合する簡単な構造で端子保持ハウジング３０に装着でき、相手方接続端子との接続方向と交差する方向に係止片部１５を係止穴部３９に挿入し両者の係合で係止することができるため、端子保持ハウジング３０に対して各接続端子１０を強固に係止することができる。
【００４３】
一方、この端子保持ハウジング３０と共にコネクタハウジング２を構成するアウターハウジング４０は、例えば図２に示すように、基端側に形成されて端子保持ハウジング３０が挿入され収容される端子保持ハウジング収容室４１と、この端子保持ハウジング収容室４１の先端側に形成されて収容された端子保持ハウジング３０の各端子収容室３３，３３からそれぞれ露出した各接続端子１０の接続部１１が配置されると共に図示しない相手方コネクタハウジングと嵌合する嵌合部４２とを備えて構成されている。
【００４４】
このように構成されたアウターハウジング４０に、各接続端子１０及びフラットハーネス２０，２０の端末部が装着された端子保持ハウジング３０を完全挿入した場合、コネクタハウジング２は図６に示すような形状で構成される。なお、このとき、例えばアウターハウジング４０の端子保持ハウジング収容室４１の開口側をホットメルト樹脂などで塞ぐようにモールドすれば、コネクタ１のフラットハーネス２０，２０側に防水性能を備えることが可能となる。
【００４５】
このコネクタ１では、コネクタハウジング２が各接続端子１０及びフラットハーネス２０，２０の端末部が装着される端子保持ハウジング３０と、この端子保持ハウジング３０が装着されるアウターハウジング４０とで構成されているため、端子保持ハウジング３０の端子保持ハウジング本体部３１と各端子保持リテーナ部３２，３２とを完全係合して各接続端子１０を係止片部１５及び係止穴部３９の係合で係止し端子収容室３３で収容すると共に、フラットハーネス２０，２０の端末部を端末固定部３７，３７が備えられた端末支持部３４，３４で支持すれば、各接続端子１０及びフラットハーネス２０，２０の端末部は端子保持ハウジング３０に強固に係止されたうえで固定される。
【００４６】
このため、例えばフラットハーネス２０，２０の長手方向にフラットハーネス２０，２０を端子保持ハウジング３０から引き抜くように引っ張った場合でも、その影響は端子保持ハウジング３０に収容された各接続端子１０の導体接続部１３とフラットハーネス２０，２０の各導体２１との接続部分や各接続端子１０に及ぶことはない。
【００４７】
従って、このコネクタ１では、各接続端子１０の導体接続部１３とフラットハーネス２０，２０の各導体２１との接続部分に、例えば樹脂モールドや補強板具設などのいわゆる補強処理を施さなくてもこの接続部分に対する引っ張りや引き剥がしなどの外力の影響を極力少なくすることができると共に、各接続端子１０への外力等の影響をも少なくすることができる。
【００４８】
また、各接続端子１０とフラットハーネス２０，２０とを、これらが装着された端子保持ハウジング３０をアウターハウジング２０に挿入して収容するだけで、コネクタ１のコネクタハウジング２を構成することができるため、接続端子１０の挿入作業やコネクタ１の組立作業を簡素化することができる。
【００４９】
これにより、このコネクタ１では、接続端子１０とフラットハーネス２０，２０との接続部分の補強のための部材等が不要となると共に、接続端子１０の係止のための複雑な構造が不要となり、安価に機械的強度を向上させ信頼性を向上させつつ更に組立作業性を向上させることができる。
【００５０】
なお、上述したように、このコネクタ１ではフラットハーネス２０，２０の端末部は、各導体２１間のスリット部２３が端子保持ハウジング３０の各端子収容室３３を構成する隔壁部３８ａに嵌った状態で端子保持ハウジング３０の端末支持部３４，３４により支持されるため、各導体２１間におけるいわゆるウィスカーによる短絡を効果的に防止することもできる。
【００５１】
ここで、端末固定部３７，３７を構成する各端末固定嵌合突起部３７ａと各端末固定嵌合穴部３７ｂは、それぞれ端子保持ハウジング本体部３１と各端子保持リテーナ部３２，３２とに反対に形成されていても良い。同様に、各隔壁部３８ａと各隔壁溝部３８ｂは、それぞれ端子保持ハウジング本体部３１と各端子保持リテーナ部３２，３２とに反対に形成されていても良い。
【００５２】
また、端末固定部３７，３７は、上記端末固定嵌合突起部３７ａ及び端末固定嵌合穴部３７ｂから構成されるものの他、例えば図１０に示すように、各端子保持リテーナ部３２，３２の端末支持部３４，３４における端子保持ハウジング本体部３１との対向端面に形成され、端子保持ハウジング３０に支持されたフラットハーネス２０，２０の端末部における各導体２１間の絶縁被覆２２をその厚さ方向に挟み込む複数の端末固定突起部３７ｃから構成されていても良い。
【００５３】
そして、これら端末固定突起部３７ｃの他にも、例えば図示は省略するが、端末固定部３７，３７は端末支持部３４，３４で支持されたフラットハーネス２０，２０の各導体２１の配列方向に延びる形状で形成されたフラットハーネス２０，２０の端末部をその厚さ方向に挟み込む端末固定突条部で構成されていても良い。
【００５４】
なお、これら端末固定突起部３７ｃや端末固定突条部は、端子保持ハウジング３０の端子保持ハウジング本体部３１及び各端子保持リテーナ部３２，３２のいずれか一方の端末支持部３４，３４における対向端面に形成されていれば良い。
【００５５】
また、このコネクタ１のフラットハーネス２０，２０は、例えば図１１に示すような絶縁被覆２２で覆われた複数の丸型断面導体２１間の絶縁被覆２２を繋いだ形状のいわゆるフラットケーブル（ＦＣ）２０ａや、図１２に示すような複数の矩形断面導体２１の押出成形により所定の回路部を形成してこの回路部を絶縁フィルムなどの絶縁被覆２２でラミネートしたいわゆるフレキシブルフラットケーブル（ＦＦＣ）２０ｂや、図１３に示すような絶縁フィルムなどの絶縁被覆２２上に各導体２１をパターン形成して所定の回路部を形成し、これらの上にカバーレイなどの絶縁被覆２２を形成したいわゆるフレキシブルプリント基板（ＦＰＣ）２０ｃなどを用いて構成しても良い。
【００５６】
更に、このコネクタ１には、図７に示すように、端子保持ハウジング３０の端末支持部３４，３４の基端側におけるフラットハーネス２０，２０の外部導出側端部近傍に、例えばフラットハーネス２０，２０をその長手方向に沿った縦断面から見てクランク状に挟持する構造の複数の段差部などから構成されるハーネス固定部２９，２９が形成されている。
【００５７】
こうして形成されたハーネス固定部２９，２９は、コネクタ１にいわゆるストレインリリーフ構造を具備するものであり、これにより各接続端子１０の導体接続部１３とフラットハーネス２０，２０の各導体２１との接続部分に対する引っ張りや引き剥がしなどの外力の影響を更に少なくすることができる。
【００５８】
そして、ハーネス固定部２９，２９は、図７に示すような端子保持ハウジング３０にそれぞれ支持されたフラットハーネス２０，２０を、その厚さ方向に互いに近接させるようにクランク状に挟持する構造でも良いが、この他にも図示は省略するが、フラットハーネス２０，２０を互いに離れるようにクランク状に挟持する構造であっても良い。
【００５９】
なお、コネクタ１の各接続端子１０の導体接続部１３とフラットハーネス２０，２０の各導体２１との接続は、この例ではシリーズ溶接により行われているが、例えばその他にも超音波溶着、レーザ溶接、アーク溶接、半田付け及びピアッシングなどにより行われたり、これらを組み合わせて行われたりしても良い。
【００６０】
このような接続端子１０の導体接続部１３とフラットハーネス２０の導体２１との接続は、接続端子１０及びフラットハーネス２０，２０の端子保持ハウジング３０へのセット前に行われることはもちろんであるが、このコネクタ１では、複数の端子収容室３３，３３及び端末支持部３４，３４が端子保持ハウジング本体部３１及び各端子保持リテーナ部３２，３２を係合して構成される構造であるため、端子保持ハウジング３０へのセット後に行うようにすることもできる。
【００６１】
このコネクタ１では、端子保持ハウジング３０へのセット後に接続を行う場合でも、各接続端子１０は隔壁部３８ａの側端面と係止片部１５及び係止穴部３９の係合とである程度位置決めされ、フラットハーネス２０，２０の端末部は挿通穴部２４と端末支持部３４，３４の端末固定部３７，３７とである程度位置決めされる構造のため、正確に接続を行うことが可能である。
【００６２】
また、このコネクタ１のコネクタハウジング２を構成する端子保持ハウジング３０及びアウターハウジング４０には、例えば図８などに示すように、アウターハウジング４０の端子保持ハウジング収容室４１の内周面に形成された複数の挿入位置決め突条４０ａと、端子保持ハウジング３０の外周面に形成された各挿入位置決め突条４０ａとそれぞれスライド係合する複数の挿入位置決め溝３０ａとからなる挿入位置決め部が形成されていても良い。このような挿入位置決め部が形成されていれば、端子保持ハウジング３０のアウターハウジング４０への誤挿入を防止することができ、端子保持ハウジング収容室４１に確実に収容することが可能となる。
【００６３】
なお、この例のコネクタ１の端子保持ハウジング３０を構成する端子保持ハウジング本体部３１と各端子保持リテーナ部３２，３２は、ヒンジ部３５を介して一体成形されたものであったが、例えば図１４に示すように、それぞれ別体で形成されヒンジ部３５を介さずにハウジング係止片３６ａとハウジング係止溝３６ｂとで着脱自在に係合する構造であっても良い。
【００６４】
図１５は、本発明の他の実施形態に係る接続端子を示す外観斜視図、図１６は、この接続端子が装着される先の例のコネクタのハーネス装着前の他の端子保持ハウジングを示す一部分解斜視図、図１７は、この接続端子が装着される先の例のコネクタのハーネス装着後の他の端子保持ハウジングを示す一部分解斜視図、図１８は、図１７のＨ−Ｈ´簡易断面図である。なお、以降において、既に説明した部分と重複する説明はなるべく割愛することとする。
【００６５】
接続端子１０Ａは、上記接続端子１０と同様に例えば板状の金属母材を打ち抜き／折り曲げ加工等して形成され、接続部１１と、導体接続部１３と、これらを連結する板状の連結部１２とを備える点は同じであるが、連結部１２の両側縁部から連結部１２の厚さ方向に延びる片状の複数の係止片部１５を備えている点が相違している。
【００６６】
なお、これら複数の係止片部１５は、図１５においてはそれぞれが接続端子１０Ａの軸方向にずれた位置の連結部１２の側縁部から相反する連結部１２の厚さ方向に延びるように形成されているが、必ずしもこの形態でなくても良く、連結部１２の両側縁部から同一方向に延びるように形成されたりしても良い。
【００６７】
このように構成された接続端子１０Ａを、例えば端子取付部材である先の例のコネクタ１のコネクタハウジング２に収容するために端子保持ハウジング３０Ａに係止する場合、図１６及び図１７に示すように、端子保持ハウジング本体部３１及び各端子保持リテーナ部３２，３２のそれぞれの対向端面の所定位置に係止穴部３９を形成しておけば、相反する連結部１２の厚さ方向にそれぞれ延びる各係止片部１５を係止穴部３９に挿入嵌合するようにして端子保持ハウジング本体部３１及び各端子保持リテーナ部３２，３２を係合するだけで接続端子１０Ａを更に強固に端子保持ハウジング３０Ａに係止したうえで固定することができる。
【００６８】
即ち、図１８に示すように、各接続端子１０Ａの各係止片部１５は、端子保持ハウジング本体部３１の係止穴部３９と各端子保持リテーナ部３２，３２の係止穴部３９とで端子収容室３３において係止されるため、確実に端子保持ハウジング３０Ａに係止される。
【００６９】
従って、このような構造の接続端子１０Ａ及び端子保持ハウジング３０Ａを用いて両者を係止すれば、上記接続端子１０と同様にランス部などの複雑な係止構造が不要で、製造コストのコストダウンを図ることができると共に、接続端子のコネクタハウジングへの装着作業性を向上させることができ、更に強固な係止が可能となる。
【００７０】
その他の効果などについては、既述の実施形態と同様であるため、ここでは説明を省略する。
【００７１】
図１９は、本発明の他の実施形態に係る接続端子の係止構造を説明するための他のコネクタを示す一部分解外観斜視図、図２０は、このコネクタの完成状態を示す外観斜視図、図２１は、図２０のＤ−Ｄ´簡易断面図、図２２は、図２０のＥ−Ｅ´簡易断面図、図２３は、図２０のＦ−Ｆ´簡易断面図、図２４は、図２０のＧ−Ｇ´簡易断面図である。
【００７２】
図１９に示すように、このコネクタ１Ａでは、複数の接続端子１０Ｂとフラットハーネス２０，２０の端末部を収容するコネクタハウジング２Ａそのものが、互いに係合自在なコネクタハウジング本体部３１Ａ及び複数のコネクタハウジングリテーナ部３２Ａ，３２Ａで構成される着脱自在な複数のコネクタハウジング構成部材からなる点と、接続端子１０Ｂの連結部１２に係止片部１５の他に端子穴部１４が形成され、各コネクタハウジングリテーナ部３２Ａ，３２Ａ及びコネクタハウジング本体部３１Ａの対向端面に端子穴部１４に嵌る端子係止突起部１９ａ及びこの端子係止突起部１９ａが嵌合する端子係止穴部１９ｂが備えられている点とが、既述の例の接続端子１０，１０Ａ及びコネクタ１とは相違している。
【００７３】
即ち、コネクタハウジング２Ａは、コネクタハウジング本体部３１Ａと、このコネクタハウジング本体部３１Ａにそれぞれ係合自在に取り付けられるコネクタハウジングリテーナ部３２Ａ，３２Ａとからなり、これらはヒンジ部３５で連結され一体成形されて、図１９中上下方向に係合自在に構成されている。
【００７４】
このコネクタハウジング２Ａは、これら各コネクタハウジングリテーナ部３２Ａ，３２Ａをコネクタハウジング本体部３１Ａと係合した際に、例えば図２１に示すように、先端側に形成されて図示しない相手方コネクタハウジングと嵌合する嵌合部４２と、この嵌合部４２の基端側に形成され複数の接続端子１０Ｂを接続部１１を嵌合部４２内で露出させた状態でそれぞれ収容する複数の端子収容室３３，３３とを備えて構成されている。
【００７５】
そして、このコネクタハウジング２Ａにも、ここでは各端子収容室３３，３３の基端側に形成されてフラットハーネス２０，２０の端末部をその厚さ方向に挟む状態で支持する端末支持部３４，３４が備えられている。
【００７６】
なお、各コネクタハウジングリテーナ部３２Ａ，３２Ａ及びコネクタハウジング本体部３１Ａの端子収容室３３における対向端面に形成された各端子係止突起部１９ａ及び端子係止穴部１９ｂは、図２３に示すように、各端子係止突起部１９ａがそれぞれ各接続端子１０Ｂの連結部１２に形成された端子穴部１４を通って各端子係止穴部１９ｂと嵌合するように形成され、係止片部１５及び係止穴部３９による各接続端子１０Ｂのコネクタハウジング２Ａへの係止を更に確実にするものである。
【００７７】
フラットハーネス２０，２０を構成する各導体２１、絶縁被覆２２、スリット部２３及び挿通穴部２４などの構造は、既述のものと同様であるため、図１９〜図２４に必要に応じて符号を付して適宜図示するに止め、ここでは説明を省略する。
【００７８】
また、各接続端子１０Ｂを構成する接続部１１、連結部１２、導体接続部１３、端子穴部１４及び係止片部１５などのその他の構造も、既述のものと同様であるため、ここでは図１９〜図２４に必要に応じて符号を付して適宜図示するに止め説明を省略する。
【００７９】
更に、コネクタハウジング本体部３１Ａと各コネクタハウジングリテーナ部３２Ａ，３２Ａとのハウジング係止片３６ａ及びハウジング係止溝３６ｂによる係合、端末固定嵌合突起部３７ａ及び端末固定嵌合穴部３７ｂからなる端末固定部３７，３７によるフラットハーネス２０，２０の端末部の固定、各隔壁部３８ａ及び各隔壁溝部３８ｂにより構成される端子収容室３３，３３の構造及びハーネス固定部２９，２９によるフラットハーネス２０，２０のストレインリリーフ構造なども、既述のものと同様であるため、図１９〜図２４に必要に応じて符号を付して適宜図示するに止め、ここでは説明を省略する。
【００８０】
このコネクタ１Ａでは、コネクタハウジング２Ａがコネクタハウジング本体部３１Ａと各コネクタハウジングリテーナ部３２Ａ，３２Ａとで構成され、各接続端子１０Ｂを係止するための係止片部１５、係止穴部３９、端子係止突起部１９ａ及び端子係止穴部１９ｂが備えられているため、各接続端子１０Ｂ及びフラットハーネス２０，２０をコネクタハウジング２Ａにセットしてコネクタハウジング本体部３１Ａと各コネクタハウジングリテーナ部３２Ａ，３２Ａとを完全係合し、フラットハーネス２０，２０の端末部を端末固定部３７，３７が備えられた端末支持部３４，３４で支持すれば、各端末部及び各接続端子１０Ｂはコネクタハウジング２Ａに強固且つ確実に係止されたうえで固定される。
【００８１】
なお、端子係止突起部１９ａ及び端子係止穴部１９ｂは、コネクタハウジング２Ａに備えられていなくても良い。
【００８２】
その他の効果などについては、既述の実施形態と同様であるため、ここでは説明を省略する。
【産業上の利用可能性】
【００８３】
本発明は、接続端子を用いて電気的接続を行う各種の用途に利用できる。
【図面の簡単な説明】
【００８４】
【図１】本発明の一実施形態に係る接続端子を示す外観斜視図である。
【図２】本発明の一実施形態に係る接続端子の係止構造を説明するためのコネクタを示す一部分解外観斜視図である。
【図３】同コネクタのハーネス装着前の端子保持ハウジングを示す一部分解斜視図である。
【図４】同コネクタのハーネス装着後の端子保持ハウジングを示す一部分解斜視図である。
【図５】同コネクタに備えられるハーネスの端末部を示す外観斜視図である。
【図６】同コネクタの完成状態を示す外観斜視図である。
【図７】図６のＡ−Ａ´簡易断面図である。
【図８】図６のＢ−Ｂ´簡易断面図である。
【図９】図６のＣ−Ｃ´簡易断面図である。
【図１０】同コネクタの他の端末固定部を示す簡易断面図である。
【図１１】同コネクタの他のフラットハーネスを示す外観斜視図である。
【図１２】同コネクタの他のフラットハーネスを示す外観斜視図である。
【図１３】同コネクタの他のフラットハーネスを示す外観斜視図である。
【図１４】同コネクタの他の端子保持ハウジングを示す簡易断面図である。
【図１５】本発明の他の実施形態に係る接続端子を示す外観斜視図である。
【図１６】同接続端子が装着される同コネクタのハーネス装着前の他の端子保持ハウジングを示す一部分解斜視図である。
【図１７】同接続端子が装着される同コネクタのハーネス装着後の他の端子保持ハウジングを示す一部分解斜視図である。
【図１８】図１７のＨ−Ｈ´簡易断面図である。
【図１９】本発明の他の実施形態に係る接続端子の係止構造を説明するための他のコネクタを示す一部分解外観斜視図である。
【図２０】同コネクタの完成状態を示す外観斜視図である。
【図２１】図２０のＤ−Ｄ´簡易断面図である。
【図２２】図２０のＥ−Ｅ´簡易断面図である。
【図２３】図２０のＦ−Ｆ´簡易断面図である。
【図２４】図２０のＧ−Ｇ´簡易断面図である。
【符号の説明】
【００８５】
１，１Ａ…コネクタ、２，２Ａ…コネクタハウジング、１０，１０Ｂ，１０Ｃ…接続端子、１１…接続部、１２…連結部、１３…導体接続部、１４…端子穴部、１５…係止片部、２０…フラットハーネス、２１…導体、２２…絶縁被覆、２３…スリット部、２４…挿通穴部、２９…ハーネス固定部、３０，３０Ａ…端子保持ハウジング、３０ａ…挿入位置決め溝、３１…端子保持ハウジング本体部、３１Ａ…コネクタハウジング本体部、３２…端子保持リテーナ部、３２Ａ…コネクタハウジングリテーナ部、３３…端子収容室、３４…端末支持部、３５…ヒンジ部、３６ａ…ハウジング係止片、３６ｂ…ハウジング係止溝、３７…端末固定部、３７ａ…端末固定嵌合突起部、３７ｂ…端末固定嵌合穴部、３７ｃ…端末固定突起部、３８ａ…隔壁部、３８ｂ…隔壁溝部、３８ｃ…切欠部、３９…係止穴部、４０…アウターハウジング、４０ａ…挿入位置決め突条。
【図１】
2005259561.tif 000003
【図２】
2005259561.tif 000004
【図３】
2005259561.tif 000005
【図４】
2005259561.tif 000006
【図５】
2005259561.tif 000007
【図６】
2005259561.tif 000008
【図７】
2005259561.tif 000009
【図８】
2005259561.tif 000010
【図９】
2005259561.tif 000011
【図１０】
2005259561.tif 000012
【図１１】
2005259561.tif 000013
【図１２】
2005259561.tif 000014
【図１３】
2005259561.tif 000015
【図１４】
2005259561.tif 000016
【図１５】
2005259561.tif 000017
【図１６】
2005259561.tif 000018
【図１７】
2005259561.tif 000019
【図１８】
2005259561.tif 000020
【図１９】
2005259561.tif 000021
【図２０】
2005259561.tif 000022
【図２１】
2005259561.tif 000023
【図２２】
2005259561.tif 000024
【図２３】
2005259561.tif 000025
【図２４】
2005259561.tif 000026